(57)【要約】ディスプレイモニタ（１０２）は、少なくともスタンドアロン動作モードと、例えばＰＣ（１０４）に対する他の周辺機器としての他の動作モードとを有する。前記モニタ（１０２）は第１の周辺機器（１０６）と接続する入力部（１０８）を有する。前記モニタ（１０２）は、前記スタンドアロンモードになっている前記ディスプレイモニタ（１０２）の機能のユーザ制御のために前記第１の周辺機器（１０６）とのデータ通信を可能にするための、更に、前記モニタ（１０２）が前記他の動作モードになっており前記ＰＣ（１０４）及び前記第１の周辺機器（１０６）に接続されているときの、前記モニタ（１０２）を介した前記第１の周辺機器（１０６）と前記ＰＣ（１０４）との間のデータ通信のための、回路（１１４）を有する。
2004537759.tif 000002
【特許請求の範囲】
【請求項１】
− 少なくともスタンドアロン動作モードと、
− データ処理システムに対する他の周辺機器としての他の動作モードと、
を持つディスプレイ装置であって、
− 第１の周辺機器に接続するための入力部と、
− 前記スタンドアロンモードになっている前記ディスプレイ装置の機能のユーザ制御のために前記第１の周辺機器とのデータ通信を可能にするための、更に、前記装置が前記他の動作モードになっており前記システム及び前記第１の周辺機器に接続されているときの、前記装置を介した前記第１の周辺機器と前記データ処理システムとの間のデータ通信のための、回路と、
を有する装置。
【請求項２】
請求項１に記載の装置であって、当該装置を前記スタンドアロン動作モードに又は前記他の動作モードに設定するための他の回路を有する装置。
【請求項３】
請求項２に記載の装置であって、前記他の回路は、当該装置が前記データ処理システムに接続されていることを検知すると当該装置のモードを自動的に設定するように動作する装置。
【請求項４】
請求項１に記載の装置であって、前記第１の周辺機器のユーザ制御の下に前記スタンドアロンモードで前記モニタにレンダリングされるべきデータを記憶するサブシステムを有する装置。
【請求項５】
請求項１に記載の装置であって、前記第１の周辺機器から当該装置へ通信されている第１の形式の第１のデータを、前記他の動作モードでの前記データ処理システムとのデータ通信のための第２の形式へ変換するための変換回路を有する装置。
【発明の詳細な説明】
【０００１】
【発明の属する技術分野】
本発明は、ディスプレイ装置に関する。
【０００２】
【従来の技術】
パーソナルコンピュータ（ＰＣ）周辺機器は、一般にインターフェースコネクタを介して直接ＰＣに接続される。今日では最も一般的には、例えばＩＤＥ、ＲＳ２３２及び他のインターフェースが置換され、上記のコネクタはますます多くがＵＳＢ（ユニバーサルシリアルバス）コネクタになってきている。モニタ又は他の種類のディスプレイ等のディスプレイ装置は通常、ホスト装置として機能するＰＣ（又はセットトップボックス）にスレーブとして接続される。モニタは、スタンドアロンモードで動作することはできず、又は、ホスト装置と関与することなしには如何なるＰＣ周辺機器も直接に使用することはできない。
【０００３】
【発明が解決しようとする課題】
本発明の目的は、スレーブ状態だけでなくスタンドアロンモードにおいても動作することができるモニタを提供することである。
【０００４】
【課題を解決するための手段】
本発明は、独立クレームによって規定される。従属クレームは、有利な実施例を規定する。ＰＣ周辺機器（即ち、ＰＣの制御、ＰＣへのデータ入力、又はＰＣからのデータ出力に用いることができるあらゆる入力又は出力装置）がスタンドアロンモードでディスプレイ装置によって用いられることができれば好都合である。この場合、周辺機器は有線で又はワイヤレスでディスプレイ装置に直接接続される。この周辺機器からのデータはディスプレイ装置に含まれるスタンドアロン機能のために用いられる。例えば、マウスがディスプレイのセットアップに関係したパラメータを制御するのに用いられてよい。この機能は、ＰＣの介入なしで生じる。従って、周辺機器から直接受信されるデータを解釈するために、ディスプレイ装置自体に回路及びソフトウェアが搭載される。ディスプレイ装置が当該の周辺機器からデータを利用している時間間隔の間、このデータは、ホスト装置に渡されない。更に、ディスプレイ装置が「スレーブ」モード（例えばＰＣ用のモニタとして動作するモード）に切り替えられると、周辺機器からのデータはホストに渡される。これは、有線で又はワイヤレスで達成されることができる。データは、業界標準の周辺機器と一致した態様で、また、ホストが直接該ホスト自体に接続される周辺機器を取り扱うのと同じ手法で解釈することのできる態様で、提示され、処理される。
【０００５】
完全性のために、現在マッキントッシュに使用されているモニタは、周辺機器がモニタにプラグを差し込まれることを可能にしている。しかし、これらの周辺機器は、モニタのＵＳＢハブを使用する。ハブは、単なる中継器機能である。しかし、モニタ自体は、周辺機器からのこのデータを直接スタンドアロン機能のためには使用しない。
【０００６】
本発明による複数の機能に対する周辺機器の再利用は、２台以上の異なる周辺機器が用いられる場合と比較すると、コスト、机のスペース及び配線の複雑さを節約する。加えて、周辺機器をモニタに接続することは、ユーザに、ＰＣ又はセットトップボックスシステムを物理的に設定するよりも便利で監督可能な手段を提供する。更に、本発明によるディスプレイ装置は、ＰＣに対する又は当該ディスプレイ装置が接続される他のデータ処理システムに対するスレーブとして従来のように使用されるのに加えて、独立した機器として使用されることができる。
【０００７】
【発明の実施の形態】
本発明のこれらの及び他の側面は、添付の図面を参照して説明され明らかにされる。
【０００８】
システム１００は、ディスプレイモニタ１０２、ＰＣ １０４及び周辺機器１０６を有する。モニタ１０２は、周辺機器１０６に接続するための接点１０８及びＰＣ １０４への接続のための接点１１０を有する。モニタ１０２は、複数の動作モードを有する。第１のモードでは、モニタ１０２はＰＣ １０４の周辺機器として動作する。例えば、モニタ１０２が第１の動作モードにセットされたとき、モニタ１０２はＰＣ １０４の出力装置として働く。第２の動作モードでは、モニタ１０２はスタンドアロン装置として、即ち、ＰＣ １０４から独立して動作する。例えばモニタ１０２は、例えば取り外し可能な固体メモリに記憶されるデジタル画像のレンダリングを可能にするサブシステム１１２を有する。別の例として、サブシステム１１２はスタンドアロンモニタと外部データソースとの間でワイヤレスデータ通信を可能にするワイヤレスモデム及びデータ処理機能を有する。後者の例において、データ処理機能は、例えば、圧縮ビデオデータを受信し、モニタ１０２で局所的に当該データを伸張してレンダリングすることを可能にする。
【０００９】
モニタ１０２は、モードスイッチング回路１１４を更に有する。回路１１４は、モニタ１０２がどのモードで用いられているかを決定する。例えば、回路１１４はモニタ１０２が物理的に（有線又はワイヤレスで）ＰＣ １０４に接続されているか否かを検出する。モニタ１０２が接点１１０を介してＰＣ １０４に接続されていると、回路１１４は、上記モニタ１０２自身が、この場合はＰＣ １０４の周辺機器として使用されていると決定する。モニタ１０２がＰＣ １０４から切り離されていると、回路１１４は、上記モニタ１０２はスタンドアロン機器として使用されていると決定することを可能にする。例えばＶＧＡ接続に対しては、ＰＣの有無は単純な手段で検出可能である。ＰＣは、ＶＧＡコネクタピンの１つに＋５Ｖを与える。ＰＣが電力を供給される場合、＋５Ｖが存在する。しかし、ＰＣが存在し、モニタがスタンドアロンモードで依然動作可能であるという他の状態があるかもしれない（例えばＰＣがスリープしている）。あるいは、回路１１４は、ＰＣ １０４への機能的な接続の有無の自動検出に関係なくモニタ１０２を適当な動作モードにセットする、ユーザによって操作される単純なスイッチを有する。
【００１０】
周辺機器１０６は、第１の動作モードでは例えば従来型のシナリオにおいて周辺機器１０６がＰＣ １０４に直接接続しているかのように、モニタ１０２を介したＰＣ １０４とのユーザ対話を可能にする。機器１０６は、第２の動作モードではモニタ１０２との直接のユーザ対話、例えば、ＰＣ １０４とは独立してスライドショーを実行したり又はモニタ１０２に局所的に存在する処理機能を制御したりすることを可能にする。周辺機器１０６は、例えばモニタ１０２を介したＰＣ １０４へのデータ入力のためのマウス若しくはキーボード等のユーザ入力装置又はカードリーダ、ＣＤ−ＲＯＭ若しくはＣＤ−Ｒ／Ｗを含み、これらはモニタ１０２の第１の動作モードで用いられ、また、モニタ１０２の第２の動作モードにおいてモニタ１０２のサブシステム１１２とのユーザ対話のために用いられる。
【００１１】
異なるデータ通信プロトコルが、一方では周辺機器１０６とモニタ１０２との間の通信のために、他方ではモニタ１０２とＰＣ １０４との間の通信のために、使用されてよい。例えば、モニタ１０２はＵＳＢを介してＰＣ １０４に結合されており、周辺機器１０６はモニタ１０２のＰＳ／２に接続されている。モニタ１０２の周辺モードにおいて、即ち、モニタ１０２がＰＣ １０４の周辺機器として働くとき、モニタ１０２の回路１１４はＰＣ １０４との適当な通信のためにＵＳＢ周辺機器にＰＳ／２周辺機器１０６をマッピングする。複数の周辺機器１０６及び／又は複数のサブシステム１１２が存在することができる。
【００１２】
それ以前に公開されたことのない国際出願第ＷＯ−Ａ−０２／２３８８５号（代理人整理番号ＵＳ ０００２３１）は写真スライドショープロジェクタとしてのスタンドアロンモニタを示す。この文書は、デジタル画像を直接スタンドアロンモニタへ転送する手段と、前記デジタル画像を前記スタンドアロンモニタのディスプレイスクリーン上に表示する手段と、前記ディスプレイスクリーン上の前記デジタル画像の転送及び表示を制御する手段とを含む、ＰＣを必要とせずに高解像度デジタル画像を見るためのスタンドアロンモニタに関する。１つの実施例において、画像はデジタルカメラ等のワイヤレス画像ソースから受信される。他の実施例において、画像は、スマートメディア等の電子記憶媒体から読み取られる。モニタ上の画像の視聴は、例えば、キーパッド又はリモートコントロールを介してユーザによって制御される。キーパッド及び読取器／受信器は、モニタに直接内蔵されるか、又は、別々の筐体におけるインターフェースとして実現されることができる。
【００１３】
上述の実施例は本発明を制限するのではなく説明しているのであって、当業者は添付の請求項の範囲から逸脱することなく多くの代替実施例を設計することができることに注意されたい。請求項において、括弧内に配置されたいかなる引用符号も当該請求項を制限するように解釈されてはならない。「有する（ｃｏｍｐｒｉｓｉｎｇ）」なる用語は、請求項に記載されたもの以外の要素又はステップの存在を排除するものではない。要素の前の「１つの（ａ又はａｎ）」なる用語は、複数のこのような要素の存在を排除するものではない。本発明は、幾つかの個別素子を有するハードウェアにより、及び適切にプログラムされたコンピュータによって実行されることができる。幾つかの手段を列挙している装置請求項において、複数のこれらの手段を、ハードウェアの全く同一のアイテムによって具体化することもできる。特定の手段が相互に異なる従属請求項において記載されているという事実のみでは、これらの手段の組合せが有利に用いられることができないということを示すことにはならない。
【図面の簡単な説明】
【図１】本発明を組み込んだシステムのブロック図である。
【図１】
2004537759.tif 000003
【国際公開パンフレット】
2004537759.tif 000004
2004537759.tif 000005
2004537759.tif 000006
2004537759.tif 000007
2004537759.tif 000008
2004537759.tif 000009
2004537759.tif 000010
【国際公開パンフレット（コレクトバージョン）】
2004537759.tif 000011
【国際調査報告】
2004537759.tif 000012
2004537759.tif 000013